(57)【要約】【課題】簡単なリモコン操作で操作画面の切替も含めたすべての操作を行うことができる。【解決手段】デザイン操作画面６２上の操作や操作画面の切替操作を、リモコンの上下左右キー及び決定キーの押下に基づく上下左右及び決定のいずれかのコマンドに応じて実行する。また、印刷操作画面６４上の操作や操作画面の切替操作も、リモコンの上下左右キー及び決定キーの押下に基づく上下左右及び決定のいずれかのコマンドに応じて実行する。例えば、デザイン操作画面６２が表示されているときにユーザがリモコンの右矢印キーを押下して印刷操作選択バー２５４ｂを選択すると、デザイン操作画面６２から印刷操作画面６４へとスライドする。このように簡単なリモコン操作で操作画面の切替も含めたすべての操作を行うことができる。【選択図】        図７
2005020107.tif 000002
【特許請求の範囲】
【請求項１】
各種情報を表示可能な表示手段にユーザインタフェースに関わる画面を表示するユーザインタフェース装置であって、
リモートコントロールユニットの上下左右キー及び決定キーのいずれかが押下されたときに該リモートコントロールユニットから発信される無線信号を受信する受信手段と、
前記受信手段によって受信された前記無線信号が上下左右及び決定のいずれのコマンドを表すかを認識する無線信号認識手段と、
少なくとも第１操作画面と第２操作画面の２つを前記表示手段に表示するためのデータを記憶する記憶手段と、
前記記憶手段から前記第１操作画面又は前記第２操作画面を読み出して前記表示手段に表示している状態で、該表示されている操作画面上の操作及び他の操作画面への切替を前記無線信号認識手段によって認識された上下左右及び決定のいずれかのコマンドに応じて実行する制御手段と、を備えたユーザインタフェース装置。
【請求項２】
前記記憶手段は、前記第１操作画面と前記第２操作画面とを表示するためのデータとして、少なくとも第１操作メニュー表示部のデータと第２操作メニュー表示部のデータと各操作画面に共通する内容を表示する共通内容表示部のデータとを記憶し、
前記制御手段は、前記第１操作画面を前記表示手段に表示する際には前記記憶手段から前記第１操作メニュー表示部のデータと前記共通内容表示部のデータとを読み出して前記共通内容表示部の周囲に前記第１操作メニュー表示部を付した第１操作画面を前記表示手段に表示し、前記第２操作画面を前記表示手段に表示する際には前記記憶手段から前記第２操作メニュー表示部のデータと前記共通内容表示部のデータとを読み出して前記共通内容表示部の周囲のうち前記第１操作メニュー表示部の対辺に第２操作メニュー表示部を付した第２操作画面を前記表示手段に表示し、前記第１又は第２操作画面を前記表示手段に表示している状態で前記無線信号認識手段によって認識されたコマンドが該第１又は第２操作画面上のカーソル位置から見て前記第２又は第１操作メニュー表示部の配置されている方向と一致したときには前記第２又は第１操作画面を前記表示手段に表示する、
請求項１に記載のユーザインタフェース装置。
【請求項３】
前記共通内容表示部は、各操作の処理対象を表示するビュワ表示部である、請求項２に記載のユーザインタフェース装置。
【請求項４】
前記制御手段は、前記第１又は第２操作画面を前記表示手段に表示している状態で前記無線信号認識手段によって認識されたコマンドが該第１又は第２操作画面上のカーソル位置から見て前記第２又は第１操作メニュー表示部の配置されている方向と一致したときには、前記第１又は第２操作画面をスライドさせて前記共通内容表示部を前記表示手段に表示したまま前記第１又は第２操作メニュー表示部を前記表示手段から消しつつ前記第２又は第１操作メニュー表示部を前記表示手段に現すことにより前記第２又は第１操作画面を前記表示手段に表示する、
請求項２又は３に記載のユーザインタフェース装置。
【請求項５】
前記記憶手段は、第１操作画面選択バーと第２操作画面選択バーとを記憶し、
前記制御手段は、前記第１操作画面を前記表示手段に表示するときには前記第１操作画面選択バーと前記第２操作画面選択バーとを前記共通内容表示部と前記第１又は第２操作メニュー表示部との並び方向と同方向に並べ且つ前記第１操作画面選択バーを長く前記第２操作画面選択バーを短く表示し、前記第２操作画面を前記表示手段に表示するときには前記第１操作画面選択バーと前記第２操作画面選択バーとを前記共通内容表示部と前記第１又は第２操作メニュー表示部との並び方向と同方向に並べ且つ前記第２操作画面選択バーを長く前記第１操作画面選択バーを短く表示する、
請求項２〜４のいずれかに記載のユーザインタフェース装置。
【請求項６】
前記制御手段は、前記第１操作画面をスライドさせて前記第２操作画面に表示を切り替えるとき又は前記第２操作画面をスライドさせて前記第１操作画面に表示を切り替えるときには、前記第１操作画面選択バーと前記第２操作画面選択バーもスライドさせて両選択バーの長さを切り替える、
請求項５に記載のユーザインタフェース装置。
【請求項７】
前記第１操作メニュー表示部は画像編集に関するメニュー、ガイダンス又はデータ設定入力欄を表示し、前記第２操作メニュー表示部は画像印刷に関するメニュー、ガイダンス又はデータ設定入力欄を表示し、前記共通内容表示部は前記画像編集又は前記画像印刷の対象となる画像をプレビュー表示する、
請求項２〜６のいずれかに記載のユーザインタフェース装置。
【請求項８】
前記共通内容表示部は動画のキャプチャ画像を前記画像編集又は前記画像印刷の対象としてプレビュー表示する、請求項７に記載のユーザインタフェース装置。
【請求項９】
前記受信手段、前記無線信号認識手段、前記記憶手段及び前記制御手段を備えたコンピュータからなる、
請求項１〜８のいずれかに記載のユーザインタフェース装置。
【請求項１０】
少なくとも第１操作画面と第２操作画面の２つを前記表示手段に表示するためのデータを記憶する記憶手段から適宜データを読み出して表示手段に表示するコンピュータ・ソフトウェアによるユーザインタフェース表示方法であって、
（ａ）リモートコントロールユニットの上下左右キー及び決定キーのいずれかが押下されたときに該リモートコントロールユニットから発信される無線信号を受信するステップと、
（ｂ）前記ステップ（ａ）で受信された前記無線信号が上下左右及び決定のいずれのコマンドを表すかを認識するステップと、
（ｃ）前記記憶手段から前記第１操作画面又は前記第２操作画面を読み出して前記表示手段に表示している状態で、該表示されている操作画面上の操作及び他の操作画面への切替を前記ステップ（ｂ）で認識された上下左右及び決定のいずれかのコマンドに応じて実行するステップと、を含むユーザインタフェース表示方法。
【請求項１１】
請求項１０に記載のユーザインタフェース表示方法の各ステップを１又は複数のコンピュータに実行させるためのプログラム。
【発明の詳細な説明】
【０００１】
【発明の属する技術分野】
本発明は、各種情報を表示可能な表示手段にユーザインタフェースに関わる画面を表示するユーザインタフェース装置、その方法及びそのプログラムに関する。
【０００２】
【従来の技術】
従来、各種情報を表示可能な表示手段にユーザインタフェースに関わる画面を表示するユーザインタフェース装置としては、リモートコントロールユニット（以下リモコンという）の機能を利用して表示画面上の操作を行うものが知られている。例えば、特許文献１の従来の技術の欄には、表示画面上にメニューや操作パネルなどを表示し、上下左右などのカーソルキーと決定キーによって選択を行う方式のユーザインタフェースが開示されている。
【０００３】
【特許文献１】
特開２００２−１４０１５５号公報
【０００４】
【発明が解決しようとする課題】
ところで、特許文献１に記載されているように、表示画面上のメニューをリモコンのカーソルキーや決定キーで選択することは一般的に行われているが、表示画面を切り替える際にはカーソルキーや決定キーとは別の画面切替キーが利用されている。この画面切替キーは、例えばＨＤＤ／ＤＶＤプレーヤのリモコンについていえば各メーカごとに独自の名称（リターンキーなど）で独自の位置に設けられているため、ユーザが複数のメーカのリモコンを操作する際に戸惑う一因となっていた。また、画面切替後にその前画面がどのような画面であったのかはリモコンを操作して一旦その前画面に戻るまで確認することができなかった。
【０００５】
本発明は、このような課題に鑑みなされたものであり、簡単なリモコン操作で操作画面の切替も含めたすべての操作を行うことができるユーザインタフェース装置、その方法及びそのプログラムを提供することを目的の一つとする。また、画面切替後にその前画面をリモコン操作を行うことなく確認することができるユーザインタフェース装置、その方法及びそのプログラムを提供することを目的の一つとする。
【０００６】
【課題を解決するための手段およびその作用・効果】
本発明のユーザインタフェース装置、その方法及びそのプログラムは、上述の目的の少なくとも一つを達成するために以下の手段を採った。
【０００７】
本発明のユーザインタフェース装置は、各種情報を表示可能な表示手段にユーザインタフェースに関わる画面を表示するユーザインタフェース装置であって、リモコンの上下左右キー及び決定キーのいずれかが押下されたときに該リモコンから発信される無線信号を受信する受信手段と、
前記受信手段によって受信された前記無線信号が上下左右及び決定のいずれのコマンドを表すかを認識する無線信号認識手段と、
少なくとも第１操作画面と第２操作画面の２つを前記表示手段に表示するためのデータを記憶する記憶手段と、
前記記憶手段から前記第１操作画面又は前記第２操作画面を読み出して前記表示手段に表示している状態で、該表示されている操作画面上の操作及び他の操作画面への切替を前記無線信号認識手段によって認識された上下左右及び決定のいずれかのコマンドに応じて実行する制御手段と、を備えたものである。
【０００８】
このユーザインタフェース装置では、第１操作画面（又は前記第２操作画面）を読み出して表示手段に表示している状態で、該表示されている操作画面上の操作及び他の操作画面への切替を、リモコンの上下左右キー及び決定キーの押下に基づく上下左右及び決定のいずれかのコマンドに応じて実行する。また、上下左右キー及び決定キーは、通常、汎用リモコンのいずれにも採用されているものである。したがって、通常採用されている上下左右キー及び決定キーのみを使うという簡単なリモコン操作で操作画面の切替も含めたすべての操作を行うことができる。
【０００９】
本発明のユーザインタフェース装置において、前記記憶手段は、前記第１操作画面と前記第２操作画面とを表示するためのデータとして少なくとも第１操作メニュー表示部のデータと第２操作メニュー表示部のデータと各操作画面に共通する内容を表示する共通内容表示部のデータとを記憶し、前記制御手段は、前記第１操作画面を前記表示手段に表示する際には前記記憶手段から前記第１操作メニュー表示部のデータと前記共通内容表示部のデータとを読み出して前記共通内容表示部の周囲に前記第１操作メニュー表示部を付した第１操作画面を前記表示手段に表示し、前記第２操作画面を前記表示手段に表示する際には前記記憶手段から前記第２操作メニュー表示部のデータと前記共通内容表示部のデータとを読み出して前記共通内容表示部の周囲のうち前記第１操作メニュー表示部の対辺に第２操作メニュー表示部を付した第２操作画面を前記表示手段に表示し、前記第１又は第２操作画面を前記表示手段に表示している状態で前記無線信号認識手段によって認識されたコマンドが該第１又は第２操作画面上のカーソル位置から見て前記第２又は第１操作メニュー表示部の配置されている方向と一致したときには前記第２又は第１操作画面を前記表示手段に表示してもよい。こうすれば、例えば第１操作画面が表示されているときにカーソル位置から見て右方向に第２操作メニュー表示部が配置されている（表示手段には表示されていなくてもよい）ときにはリモコンの右キーを押下すれば第２操作画面に切り替わるため、操作画面の切替を違和感なく行うことができる。
【００１０】
この態様を採用した本発明のユーザインタフェース装置において、前記共通内容表示部は、各操作の処理対象を表示するビュワ表示部であってもよい。こうすれば、第１操作画面と第２操作画面との間で画面を切り替えたとしても常に操作の処理対象がビュワ表示部に表示されるため、ビュワ表示部が一旦画面から消え再び呼び出される場合に比べてユーザの作業性が向上する。
【００１１】
また、前記制御手段は、前記第１又は第２操作画面を前記表示手段に表示している状態で前記無線信号認識手段によって認識されたコマンドが該第１又は第２操作画面上のカーソル位置から見て前記第２又は第１操作メニュー表示部の配置されている方向と一致したときには、前記第１又は第２操作画面をスライドさせて前記共通内容表示部を前記表示手段に表示したまま前記第１又は第２操作メニュー表示部を前記表示手段から消しつつ前記第２又は第１操作メニュー表示部を前記表示手段に現すことにより前記第２又は第１操作画面を前記表示手段に表示してもよい。こうすれば、例えば第１操作画面が表示されているときにカーソル位置から見て右方向に第２操作メニュー表示部が配置されている（表示手段には表示されていなくてもよい）ときにはリモコンの右キーを押下すればスライドして第２操作画面に切り替わるため、操作画面の切替を一層違和感なく行うことができる。
【００１２】
更に、前記記憶手段は、第１操作画面選択バーと第２操作画面選択バーとを記憶し、前記制御手段は、前記第１操作画面を前記表示手段に表示するときには前記第１操作画面選択バーと前記第２操作画面選択バーとを前記共通内容表示部と前記第１又は第２操作メニュー表示部との並び方向と同方向に並べ且つ前記第１操作画面選択バーを長く前記第２操作画面選択バーを短く表示し、前記第２操作画面を前記表示手段に表示するときには前記第１操作画面選択バーと前記第２操作画面選択バーとを前記共通内容表示部と前記第１又は第２操作メニュー表示部との並び方向と同方向に並べ且つ前記第２操作画面選択バーを長く前記第１操作画面選択バーを短く表示してもよい。こうすれば、例えば第１操作画面が表示されているときには第１操作画面選択バーが長く表示されているためユーザは現画面が第１操作画面であると認識しやすいし、第２操作画面に切り替えるときには短く表示された第２操作画面選択バーを選択すればよいため切替操作が容易である。第２操作画面においても同様である。また、画面切替後にその前画面の操作画面選択バーが短く表示されるため、前画面をリモコン操作を行うことなく操作画面選択バーにより確認することができる。このとき、前記制御手段は、前記第１操作画面をスライドさせて前記第２操作画面に表示を切り替えるとき又は前記第２操作画面をスライドさせて前記第１操作画面に表示を切り替えるときには、前記第１操作画面選択バーと前記第２操作画面選択バーもスライドさせて両選択バーの長さを切り替えてもよい。こうすれば、操作画面が切り替わる際に両選択バーがスライドして長短が切り替わるため、どちらの操作画面に切り替わったのかを視覚的に認識しやすい。
【００１３】
更にまた、前記第１操作メニュー表示部は画像編集に関するメニュー、ガイダンス又はデータ設定入力欄を表示し、前記第２操作メニュー表示部は画像印刷に関するメニュー、ガイダンス又はデータ設定入力欄を表示し、前記共通内容表示部は前記画像編集又は前記画像印刷の対象となる画像をプレビュー表示してもよい。こうすれば、画像編集を行ったあと画像印刷を行う場合や画像印刷を行ったあと画像編集を行う場合には、操作画面が切り替わる前後でプレビューの表示内容が同一であることを容易に確認したいという要望が強いが、その要望を満たすことができる。このとき、前記共通内容表示部は動画のキャプチャ画像を前記画像編集又は前記画像印刷の対象としてプレビュー表示してもよい。こうすれば、動画のキャプチャ画像を編集したあとのプレビューが印刷時にそのまま残るため、編集後の画像を確認したあと印刷するのが簡単確実となる。
【００１４】
本発明のユーザインタフェース装置は、前記受信手段、前記無線信号認識手段、前記記憶手段及び前記制御手段を備えた１又は複数のコンピュータからなるものとしてもよい。こうすれば、比較的簡単に本発明を具現化することができる。
また、本発明のユーザインタフェース装置は、ハードディスク又はデジタルヴァーサタイルディスクを動画の記録媒体とするディスクレコーダに搭載されていてもよい。
【００１５】
本発明のユーザインタフェース表示方法は、少なくとも第１操作画面と第２操作画面の２つを前記表示手段に表示するためのデータを記憶する記憶手段から適宜データを読み出して表示手段に表示するコンピュータ・ソフトウェアによるユーザインタフェース表示方法であって、
（ａ）リモコンの上下左右キー及び決定キーのいずれかが押下されたときに該リモコンから発信される無線信号を受信するステップと、
（ｂ）前記ステップ（ａ）で受信された前記無線信号が上下左右及び決定のいずれのコマンドを表すかを認識するステップと、
（ｃ）前記記憶手段から前記第１操作画面又は前記第２操作画面を読み出して前記表示手段に表示している状態で、該表示されている操作画面上の操作及び他の操作画面への切替を前記ステップ（ｂ）で認識された上下左右及び決定のいずれかのコマンドに応じて実行するステップと、を含むものである。
【００１６】
このユーザインタフェース方法では、第１操作画面（又は前記第２操作画面）を読み出して表示手段に表示している状態で、該表示されている操作画面上の操作及び他の操作画面への切替を、リモコンの上下左右キー及び決定キーの押下に基づく上下左右及び決定のいずれかのコマンドに応じて実行する。また、上下左右キー及び決定キーは、通常、汎用リモコンのいずれにも採用されているものである。したがって、通常採用されている上下左右キー及び決定キーのみを使うという簡単なリモコン操作で操作画面の切替も含めたすべての操作を行うことができる。なお、このユーザインタフェース表示方法は、この方法を説明する前にすでに述べたユーザインタフェース装置が備えている構成を備えていてもよいし、また、そのユーザインタフェース装置の機能を実現するようなステップを含んでいてもよい。
【００１７】
本発明は、上述したユーザインタフェース表示方法の各ステップを１又は複数のコンピュータに実行させるためのプログラムとしてもよい。このプログラムは、コンピュータが読み取り可能な記録媒体（例えばハードディスク、ＲＯＭ、ＦＤ、ＣＤ、ＤＶＤなど）に記録されていてもよいし、伝送媒体（インターネットやＬＡＮなどの通信網）を介してあるコンピュータから別のコンピュータへ配信されてもよいし、その他どのような形で授受されてもよい。このプログラムを一つのコンピュータに実行させるか又は複数のコンピュータに各ステップを分担して実行させれば、上述したユーザインタフェース表示方法の各ステップが実行されるため、上述したユーザインタフェース表示方法と同様の作用効果が得られる。
【００１８】
【発明の実施の形態】
次に、本発明の実施の形態を図面に基づいて説明する。図１は、本発明の一実施形態であるＨＤＤ／ＤＶＤレコーダ２０の概略構成図、図２はリモコンの外観図、図３はＨＤＤ／ＤＶＤレコーダ２０の表示画像メモリ２５の説明図、図４は各データの説明図、図５は各画面の主要部５２，５４の説明図である。なお、ＨＤＤとはハードディスクドライブの略であり、ＤＶＤとはデジタルヴァーサタイルディスクの略である。
【００１９】
ＨＤＤ／ＤＶＤレコーダ２０は、図１に示すように、各種制御を実行するＣＰＵ２１と、各種制御プログラムを記憶するＲＯＭ２２と、データを一時記憶するＲＡＭ２３、ビデオ入出力端子に接続されたテレビ３５の画面表示を制御するビデオコントローラ２４と、後述するキャプチャ画像処理を実行する際にテレビ３５に表示する各種画面の画像データを記憶する表示画像メモリ２５と、ハードディスク２６に画像データを記録したりハードディスク２６から画像データを読み出したりするハードディスクコントローラ２７と、ＤＶＤ２８に画像データを記録したりＤＶＤ２８から画像データを読み出したりするＤＶＤコントローラ２９と、リモコン４０から発信された赤外線信号の入力を司るリモコンインタフェース３０と、ＬＡＮケーブルを介して接続されたネットワーク対応のプリンタ６０とのデータの入出力を司るネットワークインタフェース３１とを備え、これらはバス３２によってデータのやり取りが可能なように接続されている。このＨＤＤ／ＤＶＤレコーダ２０では、動画映像を静止画としてキャプチャしたあと編集したり印刷したりするためのアプリケーションプログラム（以下キャプチャ画像処理プログラムという）がＲＯＭ２２に記憶されている。
【００２０】
リモコン４０は、図２に示すように、ＨＤＤ／ＤＶＤレコーダ２０を操作するためのプレーヤ操作エリア４１と、テレビ３５を操作するためのテレビ操作エリア４２と、ＨＤＤ／ＤＶＤレコーダ２０の画像データの選択時やテレビ３５の音量調整時などに利用する共通操作エリア４３とを有している。このうち、プレーヤ操作エリア４１には、ＨＤＤ／ＤＶＤレコーダ２０の電源をオンオフする電源キーやＨＤＤとＤＶＤとを切り替える切替キーのほか、周知の再生キー、早送りキー、早戻しキー、停止キー、一時停止キーなどが設けられている。また、テレビ操作エリア４２には、テレビ３５の電源をオンオフする電源キーや１〜１２の数字が印字されたチャンネルキーのほか、主音声と副音声とを切り替える音声切替キーなどが設けられている。また、共通操作エリア４３には、決定キー４４を中心としてその上下左右に上矢印キー４５、下矢印キー４６、左矢印キー４７及び右矢印キー４８が設けられている。上矢印キー４５と下矢印キー４６はテレビ３５のチャンネルをアップダウンするときに利用されるほか各種設定画面においてカーソルを上下に移動するときなどにも利用され、左矢印キー４７と右矢印キー４８はテレビ３５の音量の大小を調整するときに利用されるほか各種設定画面においてカーソルを左右に移動するときなどにも利用される。また、リモコン４０は、上端部に赤外線ＬＥＤ４９を備え、キーが押下されるとそのキー信号を所定の信号形式で変調しその変調信号に応じた赤外線信号（無線信号）を赤外線ＬＥＤ４９から発信する。そして、ＨＤＤ／ＤＶＤレコーダ２０のリモコンインタフェース３０はリモコン４０から発信された赤外線信号を受信するとこれを復調してＣＰＵ２１へ転送し、ＣＰＵ２１は転送された信号に基づいて今回の信号がどのような信号を表すかを認識する。
【００２１】
プリンタ６０は、カラーインクカートリッジから印刷媒体へインクを吐出することにより印刷を行う周知のインクジェットプリンタであり、図示しないプリントサーバを介してＨＤＤ／ＤＶＤレコーダ２０のネットワークインタフェース３１に接続され、ＨＤＤ／ＤＶＤレコーダ２０から入力した印刷データに基づいて印刷媒体への印刷を行ったり、印刷状況に関するステイタスデータをＨＤＤ／ＤＶＤレコーダ２０へ出力したりする。
【００２２】
ここで、ＨＤＤ／ＤＶＤレコーダ２０の表示画像メモリ２５に記憶されるデータのうち、キャプチャ画像処理プログラムに関連するデータについて詳細に説明する。表示画像メモリ２５は、図３に示すように、印刷プレビューデータ２５ａとデザインメニューデータ２５ｂと印刷メニューデータ２５ｃと選択バーデータ２５ｄと操作可能キーデータ２５ｅとを記憶している。このうち、印刷プレビューデータ２５ａは、動画映像をキャプチャしたときの静止画に基づいて、予め設定された印刷媒体種、画像配置、画質、文字に合致するように作成されるデータであり、図４（ａ）に示すようにテレビ３５の画面上では印刷プレビューを表示する印刷プレビュー表示部２５１となる。また、デザインメニューデータ２５ｂは、画像編集に関するメニューデータであり、図４（ｂ）に示すようにテレビ３５の画面上では、「レイアウト」、「画像配置」、「画質調整」、「文字」の４つのメニューを表示するデザインメニュー表示部２５２となる。ここで、「レイアウト」とは、複数の印刷媒体種（ＣＤレーベル面、ＣＤジャケット、ポストカード、Ａ４用紙等）から一つの印刷媒体を選択するためのメニューであり、「画像配置」とは、画像を移動するか拡大縮小するか回転するかを選択するためのメニューであり、「画質調整」とは、カラー（フルカラー、モノクロ等）や明るさやコントラストを選択するためのメニューであり、「文字」とは、フォントや大きさや色等を選択するためのメニューである。なお、デザインメニューデータ２５ｂは、メニューに応じて階層的な下位メニューが用意されている（図８参照）。また、印刷メニューデータ２５ｃは、画像印刷に関するメニューデータであり、図４（ｃ）に示すようにテレビ３５の画面上では印刷枚数の確認を促すメッセージボックスと印刷枚数を入力するための入力ボックスと印刷開始を指令するための印刷開始ボタンとを表示する印刷メニュー表示部２５３となる。また、選択バーデータ２５ｄは、デザイン操作画面６２（図７参照）か印刷操作画面６４（図７参照）のいずれかを呼び出すときに用いられるデータであり、図４（ｄ）に示すようにテレビ３５の画面上ではデザイン操作画面６２を呼び出すための帯状のデザイン操作選択バー２５４ａと印刷操作画面６４を呼び出すための帯状の印刷操作選択バー２５４ｂとを左右に並べた選択バー表示部２５４となる。また、操作可能キーデータ２５ｅは、リモコン４０の決定キー４４及び上下左右の矢印キー４５〜４８のうち操作可能なキーを表示するためのデータであり、図４（ｅ）に示すようにテレビ３５の画面上では横長バーの中に操作可能なキーが表示された操作可能キー表示部２５５となる。なお、操作可能キーデータ２５ｅは、デザインメニュー表示部２５２で選択されるメニューに応じて種々のデータが用意されている（図８や図９を参照）。
【００２３】
各データ２５ａ〜２５ｄは、平面座標上の縦軸と横軸との格子点に配置した各画素に対してＲＧＢの明るさを表す３つの数値データを対応づけたものである。
図５は、平面座標上に配置された画素を数値データではなく画像として表したときの説明図である。この図５に示すように、デザインメニューデータ２５ｂ（デザインメニュー表示部２５２）は印刷プレビューデータ２５ａ（印刷プレビュー表示部２５１）の左辺に隣接し、印刷メニューデータ２５ｃ（印刷メニュー表示部２５３）は印刷プレビューデータ２５ａ（印刷プレビュー表示部２５１）の右辺に隣接し、選択バーデータ２５ｄ（選択バー表示部２５４）は各データ２５ａ〜２５ｃの上辺に隣接するように作成されている。この図５に表した画像全体は、テレビ３５の画面表示領域の横幅を超えた大きさであり、この図５中、点線で囲んだ領域が画面表示領域の横幅に収まる大きさを表し、点線で囲んだ領域のうち印刷プレビュー表示部２５１とデザインメニュー表示部２５２とを含む領域がデザイン操作画面主要部５２を表し、点線で囲んだ領域のうち印刷プレビュー表示部２５１と印刷メニュー表示部２５３とを含む領域が印刷操作画面主要部５４を表す。なお、操作可能キーデータ２５ｅ（操作可能キー表示部２５５）は、デザイン操作画面主要部５２の下辺又は印刷操作画面主要部５４の下辺に隣接するように配置される。
【００２４】
次に、こうして構成されたＨＤＤ／ＤＶＤレコーダ２０の動作について説明する。図６は、ＨＤＤ／ＤＶＤレコーダ２０のＣＰＵ２１により実行されるキャプチャ画像処理ルーチンのフローチャート、図７はデザイン操作画面６２及び印刷操作画面６４の説明図、図８はデザイン操作画面６２での具体的操作の説明図、図９は印刷操作画面６４での具体的操作の説明図である。ＣＰＵ２１は、動画映像がキャプチャされると、ＲＯＭ２２に記憶されたキャプチャ画像処理プログラムを読み出して図６のフローチャートにしたがって処理を実行する。
【００２５】
ＨＤＤ／ＤＶＤレコーダ２０のＣＰＵ２１は、動画映像がキャプチャされると、まず、キャプチャされた静止画を取り込み（ステップＳ１００）、その静止画に基づいて、予め設定されている印刷媒体種、画像配置、画質調整、文字を参照し、印刷プレビューデータ２５ａを作成して表示画像メモリ２５に格納する（ステップＳ１０５）。なお、印刷媒体種、画像配置、画質調整、文字はデザインメニュー表示部２５２に表示される各メニューから階層的な手順を経て設定される。このとき、表示画像メモリ２５には、図５に示す印刷プレビューデータ２５ａとデザインメニューデータ２５ｂと印刷メニューデータ２５ｃと選択バーデータ２５ｄを含む画像全体のデータが記憶される。このうち、印刷プレビューデータ２５ａはキャプチャされる静止画やデザイン編集作業に応じて更新される。続いて、表示画像メモリ２５から図７（ａ）に示すデザイン操作画面６２を読み出してテレビ３５に画面表示する（ステップＳ１１０）。このデザイン操作画面６２は、図５のデザイン操作画面主要部５２をもとにして、その下辺に操作可能なキーを表示する操作可能キー表示部２５５を付加したり、デザイン操作選択バー２５４ａを反転表示したり、印刷プレビュー表示部２５１の下方にレイアウト情報やフォント情報を表示したりしたものである。このとき、カーソルは反転表示されたデザイン操作選択バー２５４ａに位置しており、この位置から見て下側にデザインメニュー表示部２５２が配置され、左側に左二重矢印の戻りボタンが配置され、右側に印刷操作選択バー２５４ｂが配置されていることから、操作可能キー表示部２５５には下矢印、左矢印及び右矢印が選択可能である旨が表示されている。ここで、下矢印を選択するとカーソルがデザインメニュー表示部２５２のトップメニューである「レイアウト」に移動し、左矢印を選択するとデザイン操作画面６２の前画面（静止画をキャプチャする画面）に戻り、右矢印を選択するとカーソルが印刷操作選択バー２５４ｂに移動して印刷操作画面６４に切り替わる。
【００２６】
ステップＳ１１０のあと、ユーザによりデザインメニュー表示部２５２のうちのいずれかのメニューが選択されたか否かを判定する（ステップＳ１１５）。この判定は、リモコンインタフェース３０からＣＰＵ２１に転送された電気信号（リモコン４０の赤外線信号に基づく信号）に基づいて行われる。このステップＳ１１５でいずれかのメニューが選択されたときには、選択されたメニューに応じた処理を実行し（ステップＳ１２０）、その後再びステップＳ１０５に戻る。例えば、図８に示すように、テレビ３５の画面にデザイン操作画面６２が表示されている状態（図８（ａ）参照）でリモコンインタフェース３０からの電気信号が下矢印キー４６の押下を表す信号だったときには、デザインメニュー表示部２５２のトップメニューである「レイアウト」を反転表示する（図８（ｂ）参照）。このように最新に反転表示された位置がカーソル位置となる。その後リモコンインタフェース３０からの電気信号が上下の矢印キー４５，４６の押下を表す信号だったときにはその上下方向に合わせてデザインメニュー表示部２５２のメニューを反転表示し、いずれかのメニューが反転表示されているときにリモコンインタフェース３０からの電気信号が右矢印キー４８の押下を表す信号だったときにはそのメニューに決定されたとみなす。図８（ｃ）はカーソルが「レイアウト」上に位置しているときに右矢印キー４８が押下されたときの様子を表し、このとき「レイアウト」の下位メニューとして「ＣＤダイレクト」、「ジャケット」等のメニューが階層的に表示される。そして、この下位メニューの「ＣＤダイレクト」上にカーソルが位置しているときに右矢印キー４８が押下されると、図８（ｄ）に示すようにＣＤレーベル面の上側、下側、右側のいずれに文字を配置するかを選択するメニューが階層的に表示される。そして、図８（ｅ）に示すように上下の矢印キー４５，４６の押下によりこの下位メニューのうちＣＤレーベル面の右側に文字を配置するメニュー上にカーソルが移り、その状態で決定キー４４が押下されると、図８（ｆ）に示すようにそれに応じて印刷プレビューを作成し直して表示する。このように、デザイン操作画面６２上のすべての操作を決定キー４４及び上下左右キー４５〜４８で行うことができる。なお、「レイアウト」以外のメニューについても、同様に、すべての操作を決定キー４４及び上下左右キー４５〜４８で行うことができる。
【００２７】
さて、ステップＳ１１５でユーザによりいずれのメニューも選択されなかったときには、続いて選択バー表示部２５４の印刷操作選択バー２５４ｂが選択されたか否かを判定する（ステップＳ１２５）。この判定も、リモコンインタフェース３０からＣＰＵ２１に転送された電気信号（リモコン４０の赤外線信号に基づく信号）に基づいて行われる。このステップＳ１２５で印刷操作選択バー２５４ｂが選択されたときには、テレビ３５の画面をデザイン操作画面６２から印刷操作画面６４に切り替える（ステップＳ１３５）。即ち、図７に示すように、テレビ３５にデザイン操作画面６２が表示され且つカーソルがデザイン操作選択バー２５４ａに位置している状態（図７（ａ）参照）でリモコンインタフェース３０からの電気信号が右矢印キー４８の押下を表す信号だったときには、デザイン操作画面６２を左方向へスライドさせることによりデザインメニュー表示部２５２をテレビ３５の画面の左側から徐々に消しつつ、印刷メニュー表示部２５３をテレビ３５の画面の右側から徐々に現れるようにし、最終的に図７（ｂ）に示す印刷操作画面６４を表示する。具体的には、図５においてデザイン操作画面主要部５２を囲っている点線領域を時間経過に伴い横軸に沿って右方向へ移動させたときのその点線領域に囲まれているデータを表示画像メモリ２５から読み出すことにより、テレビ３５の画面上でデザイン操作画面６２が左方向へスライドしていく様子を表す。なお、図７の印刷操作画面６４は、図５の印刷操作画面主要部５４をもとにして、その下辺に操作可能なキーを表示する操作可能キー表示部２５５を付加したり、印刷操作選択バー２５４ｂを反転表示したり、印刷プレビュー表示部２５１の下方にレイアウト情報やフォント情報を表示したりしたものである。一方、ステップＳ１２５で選択バー表示部２５４の印刷操作選択バー２５４ｂが選択されなかったときには、再びステップＳ１１５へ戻る。
【００２８】
さて、ステップＳ１３５で印刷操作画面６４をテレビ３５に表示したあと、その印刷操作画面６４の印刷メニュー表示部２５３のうち、印刷枚数の入力ボックスに数値が入力されたか否かを判定し（ステップＳ１４０）、印刷枚数の入力ボックスに数値が入力されたときには、その入力された数値を入力ボックスに表示し（ステップＳ１４５）、その後ステップＳ１５０に進み、一方、印刷枚数の入力ボックスに数値が入力されていないときには、そのままステップＳ１５０に進む。なお、印刷枚数の入力ボックスへの数値の入力は、図９に示すように、カーソルが印刷操作選択バー２５４ｂに位置しているとき（図９（ａ）参照）に下矢印キー４６の押下により入力ボックスを反転させ（図９（ｂ）参照）、右矢印キー４８の押下により数値をアップカウントしたり（図９（ｃ）参照）、左矢印キー４７の押下により数値をダウンカウントしたり（図９（ｂ）参照）することにより行う。続くステップＳ１５０では、印刷メニュー表示部２５３のうち印刷開始ボタンが選択されたか否かを判定し、印刷開始ボタンが選択されたときには、印刷プレビュー表示部２５１に表示されている画像をプリンタ６０が印刷可能な形式の印刷データに変換したあとプリンタ６０に出力して印刷させる印刷ルーチンを実行し（ステップＳ１５５）、その後ステップＳ１６０に進み、印刷開始ボタンが選択されていないときには、そのままステップＳ１６０に進む。なお、印刷開始ボタンの選択は、図９に示すように、カーソルが入力ボックスに位置しているとき（図９（ｂ）参照）に下矢印キー４６の押下によりカーソルを印刷開始ボタンへ移したあと（図９（ｄ）参照）、決定キー４４を押下することにより行う。このように、印刷操作画面６４上の操作をすべて決定キー４４及び上下左右キー４５〜４８で行うことができる。
【００２９】
続くステップＳ１６０では、デザイン操作選択バー２５４ａが選択されたか否かを判定し（ステップＳ１６０）、デザイン操作選択バー２５４ａが選択されていないときには、再びステップＳ１４０に戻り、デザイン操作選択バー２５４ａが選択されたときには印刷操作画面６４を右方向へスライドさせることにより徐々に印刷メニュー表示部２５３をテレビ３５の画面の右側から徐々に消しつつ、デザインメニュー表示部２５２をテレビ３５の画面の左側から徐々に現れるようにし（ステップＳ１６５）、その後ステップＳ１１５に戻る。具体的には、図４において印刷操作画面主要部５４を囲っている点線領域を時間経過に伴い横軸に沿って左方向へ移動させたときのその点線領域に囲まれているデータを表示画像メモリ２５から読み出すことにより、印刷操作画面６４が右方向へスライドしていく様子を表す。なお、ステップＳ１６０の判定も、リモコンインタフェース３０からＣＰＵ２１に転送された電気信号に基づいて、ステップＳ１２５と同様にして行われる。
【００３０】
ここで、本実施形態の構成要素と本発明の構成要素との対応関係を明らかにする。本実施形態のリモコンインタフェース３０が本発明の受信手段に相当し、表示画像メモリ２５が記憶手段に相当し、テレビ３５が表示手段に相当し、ＣＰＵ２１が無線信号認識手段及び制御手段に相当する。また、デザイン操作画面６２及び印刷操作画面６４が第１及び第２操作画面に相当し、デザインメニュー表示部２５２及び印刷メニュー表示部２５３が第１及び第２操作表示部に相当し、印刷プレビュー表示部２５１が共通内容表示部に相当する。更に、デザイン操作選択バー２５４ａが第１操作画面選択バーに相当し、印刷操作選択バー２５４ｂが第２操作画面選択バーに相当する。なお、上述した実施形態では、ＨＤＤ／ＤＶＤレコーダ２０を説明することによりユーザインタフェース装置の一実施形態を説明すると同時に、ユーザインタフェース表示方法の一実施形態も併せて説明している。
【００３１】
以上詳述した本実施形態のＨＤＤ／ＤＶＤレコーダ２０では、デザイン操作画面６２を読み出してテレビ３５に表示している状態で、このデザイン操作画面６２上の操作及び印刷操作画面６４への切替を、リモコン４０の決定キー４４及び上下左右キー４５〜４８の押下に基づく電気信号（コマンド）に応じて実行する。この点は印刷操作画面６４についても同様である。また、決定キー４４及び上下左右キー４５〜４８は、通常、汎用リモコンのいずれにも採用されているものである。したがって、通常採用されている決定キー４４及び上下左右キー４５〜４８のみを使うという簡単なリモコン操作で操作画面の切替も含めたすべての操作を行うことができる。
【００３２】
また、デザイン操作画面６２が表示されているときにカーソルの位置から見て右方向に印刷操作画面６４が配置されているが、このときリモコン４０の右矢印キー４８を押下すればスライドして印刷操作画面６４に切り替わるため、操作画面の切替を違和感なく行うことができる。しかも、操作画面が切り替わる際に両選択バー２５４ａ，２５４ｂがスライドして長短が切り替わるため、どちらの操作画面に切り替わったのかを視覚的に認識しやすいし、画面切替後にその前画面の選択バー２５４ａ，２５４ｂが短く表示されるため、前画面をリモコン操作を行うことなく選択バー２５４ａ，２５４ｂにより確認することができる。
【００３３】
更に、デザイン操作画面６２と印刷操作画面６４との間で画面を切り替えたとしても常に操作の処理対象である印刷プレビューが印刷プレビュー表示部２５１に表示されるため、画面切替時に印刷プレビューが一旦画面から消え再び呼び出す必要がある場合に比べてユーザの作業性が向上する。また、画像編集を行ったあと画像印刷を行う場合や画像印刷を行ったあと画像編集を行う場合には、操作画面が切り替わる前後で印刷プレビューの表示内容が同一であることを容易に確認したいという要望が強いが、その要望を満たすことができる。
【００３４】
更にまた、ＨＤＤ／ＤＶＤレコーダ２０はリモコンインタフェース３０、ＣＰＵ２１及び表示画像メモリ２５を備えたコンピュータを内蔵したものからなるものとしてもよい。こうすれば、比較的簡単に本発明を具現化することができる。また、本発明のユーザインタフェース装置は、ハードディスク又はデジタルヴァーサタイルディスクを動画の記録媒体とするディスクレコーダに搭載されていてもよい。
【００３５】
なお、本発明は上述した実施形態に何ら限定されることはなく、本発明の技術的範囲に属する限り種々の態様で実施し得ることはいうまでもない。
【００３６】
例えば、上述した実施形態では、デザイン操作画面６２と印刷操作画面６４の切替について説明したが、本発明はデザイン操作画面６２と印刷操作画面６４の切替に限定されるものではなく、任意の２つの操作画面の切替について本発明を適用することができる。
【００３７】
また、上述した実施形態では、デザイン操作画面６２は印刷プレビュー表示部２５１の左側にデザインメニュー表示部２５２を付し、印刷操作画面６４は印刷プレビュー表示部２５１の右側に印刷メニュー表示部２５３を付したが、図１０に示すようにデザイン操作画面６２は印刷プレビュー表示部２５１の上側にデザインメニュー表示部２５２を付し、印刷操作画面６４は印刷プレビュー表示部２５１の下側に印刷メニュー表示部２５３を付し、上下方向にスライドすることにより両操作画面６２，６４を切り替えるようにしてもよい。なお、このとき選択バー表示部２５４は、長手方向が上下方向となるように配置される。
【００３８】
更に、上述した実施形態では、共通内容表示部として画像の印刷プレビュー表示部２５１を採用したが、操作対象が文書ファイルのときには文書をビュワで表示してもよい。
【図面の簡単な説明】
【図１】ＨＤＤ／ＤＶＤレコーダ２０の概略構成図。
【図２】リモコン４０の外観図。
【図３】ＨＤＤ／ＤＶＤレコーダ２０の表示画像メモリ２５の説明図。
【図４】各データの説明図。
【図５】各画面の主要部５２，５４の説明図。
【図６】キャプチャ画像処理ルーチンのフローチャート。
【図７】デザイン操作画面６２及び印刷操作画面６４の説明図。
【図８】デザイン操作画面６２での具体的操作の説明図。
【図９】印刷操作画面６４での具体的操作の説明図。
【図１０】他の実施形態における各操作画面の説明図。
【符号の説明】
２０  ＨＤＤ／ＤＶＤレコーダ、２１  ＣＰＵ、２２  ＲＯＭ、２３  ＲＡＭ、２４  ビデオコントローラ、２５  表示画像メモリ、２５ａ  印刷プレビューデータ、２５ｂ  デザインメニューデータ、２５ｃ  印刷メニューデータ、２５ｄ選択バーデータ、２５ｅ  操作可能キーデータ、２６  ハードディスク、２７ハードディスクコントローラ、２８  ＤＶＤ、２９  ＤＶＤコントローラ、３０  リモコンインタフェース、３１  ネットワークインタフェース、３２  バス、３５  テレビ、４０  リモコン、４１  プレーヤ操作エリア、４２  テレビ操作エリア、４３  共通操作エリア、４４  決定キー、４５  上矢印キー、４６  下矢印キー、４７  左矢印キー、４８  右矢印キー、４９  赤外線ＬＥＤ、５２デザイン操作画面主要部、５４  印刷操作画面主要部、６０  プリンタ、６２デザイン操作画面、６４  印刷操作画面、２５１  印刷プレビュー表示部、２５２  デザインメニュー表示部、２５３  印刷メニュー表示部、２５４  選択バー表示部、２５４ａ  デザイン操作選択バー、２５４ｂ  印刷操作選択バー、２５５  操作可能キー表示部。
【図１】
2005020107.tif 000003
【図２】
2005020107.tif 000004
【図３】
2005020107.tif 000005
【図４】
2005020107.tif 000006
【図５】
2005020107.tif 000007
【図６】
2005020107.tif 000008
【図７】
2005020107.tif 000009
【図８】
2005020107.tif 000010
【図９】
2005020107.tif 000011
【図１０】
2005020107.tif 000012